(57)【要約】【課題】画像データを暗号化して配信するシステムにおいて、暗号化に対応した受信側装置と暗号化に対応していない受信側装置とを安全に混在させることを可能とする。【解決手段】圧縮された画像データを暗号化する画像データ暗号化装置１０であって、暗号化された画像データに含まれる、圧縮フォーマットに応じて定められる特定のコードを他のコードに置換するコード置換部１３１と、置換された特定のコードを再置換するための変換情報を生成する変換情報生成部１３２と、コード置換された暗号化画像データと変換情報とを連結して配信用暗号化画像データを生成する配信用データ生成部１３３と、配信用暗号化画像データを出力する配信用暗号化画像データ出力部１４０とを備える。【選択図】図１
2009049556.tif 000002
【特許請求の範囲】
【請求項１】
圧縮された画像データを暗号化する画像データ暗号化装置であって、
暗号化された画像データに含まれる、圧縮フォーマットに応じて定められた特定のコードを他のコードに置換するコード置換処理部と、
置換された特定のコードを再置換するための変換情報を生成する変換情報生成処理部と、
前記コード置換して得られた暗号化画像データと前記変換情報とを連結して配信用暗号化画像データを生成する配信用データ生成処理部と、
前記配信用暗号化画像データを出力する出力部と、
を備えた画像データ暗号化装置。
【請求項２】
暗号化された圧縮画像データを復号する暗号化画像データ復号装置であって、
圧縮フォーマットに応じて定められた特定のコードが他のコードに置換された暗号化画像データと、前記特定のコードを再置換するための変換情報とが連結された配信用暗号化画像データを入力する入力部と、
前記変換情報を用いて、前記他のコードを前記特定のコードに再置換する再置換処理部と、
前記特定コードに再置換された暗号化画像データを復号する復号処理部と、
を備えた画像データ暗号化装置。
【請求項３】
暗号化された圧縮画像データに含まれる、圧縮フォーマットに応じて定められた特定のコードを他のコードに置換するコード置換ステップと、
置換された特定のコードを再置換するための変換情報を生成する変換情報生成ステップと、
前記コード置換して得られた暗号化画像データと前記変換情報とを連結して配信用暗号化画像データを生成する配信用データ生成ステップと、
を含む画像データ暗号化方法。
【請求項４】
圧縮フォーマットに応じて定められた特定のコードが他のコードに置換された暗号化画像データと、前記特定のコードを再置換するための変換情報とが連結された配信用暗号化画像データを入力する入力ステップと、
前記変換情報を用いて、前記他のコードを前記特定のコードに再置換する再置換ステップと、
前記特定コードに再置換された暗号化画像データを復号する復号ステップと、
を含む暗号化画像データ復号方法。
【発明の詳細な説明】
【技術分野】
【０００１】
本発明は、圧縮された画像データを暗号化し、また暗号化された圧縮画像データを復号する画像データ暗号化装置、暗号化画像データ復号装置、画像データ暗号化方法及び暗号化画像データ復号方法に関する。
【背景技術】
【０００２】
近年、インターネットに代表される通信ネットワークが普及し、伝送速度も向上している。このため、静止画像データ、動画像データ等の容量の大きいデータも通信ネットワークを介して伝送されることが多くなっている。
【０００３】
一方で、インターネット等の通信ネットワークは不特定多数のユーザが利用することができるものが多いため、秘匿性の高い画像データを伝送する際には、セキュリティを確保することが重要である。例えば、特許文献１には、ネットワークカメラ装置から出力される画像を暗号化することにより、外部に漏洩したくない重要な画像の安全性を向上させることが記載されている。
【特許文献１】特開２００３−１２５３２６号公報
【発明の開示】
【発明が解決しようとする課題】
【０００４】
画像データを暗号化することにより、画像の安全性を高めることができる。しかし、受信した暗号化画像データを表示するためには、暗号化に対応した復号処理を行える表示装置を用いる必要がある。
【０００５】
暗号化処理を行なうカメラ装置と復号処理を行なう表示装置とが１対１に対応しているシステムでは、カメラ装置の暗号化処理と表示装置の復号処理とが対応することが保証されるが、例えば、カメラ装置からの画像データを複数の表示装置に配信可能な画像データ配信装置が介在している監視システム等では、暗号化に対応している表示装置と対応していない表示装置とが混在することが起こり得る。このような状況では、暗号化された画像データが暗号化に対応していない表示装置にも配信されることになる。
【０００６】
一般に、画像データは圧縮されているため、画像データを受信した表示装置は画像データを伸張する処理を行なう。このため、暗号化に対応している表示装置が暗号化された画像データを受信した場合は、適切な復号処理を行なって非暗号状態の画像データを得てから、伸張処理を行なって画像を表示することができる。
【０００７】
ところが、暗号化に対応していない表示装置が、暗号化された画像データを受信した場合は、画像データが暗号化されていることを判別することができないため、暗号化された状態の画像データに対して伸張処理を施して表示を行なうことになる。
【０００８】
しかしながら、暗号化された状態の画像データは、圧縮フォーマットに則ったものではないため、表示装置が無理やり伸張処理を行なおうとすると、表示装置の動作が不安定になったり、システムダウンを起こしたりするという問題が生じていた。このような問題を回避するためには、すべての表示装置を暗号化に対応させざるを得ず、コスト的にも手間的にも使用者にとって大きな負担である。
【０００９】
本発明は、このような状況を鑑みてなされたものであり、画像データを暗号化して配信するシステムにおいて、暗号化に対応した受信側装置と暗号化に対応していない受信側装置とを安全に混在させることが可能な画像データ暗号化装置、暗号化画像データ復号装置、画像データ暗号化方法、及び暗号化画像データ復号方法を提供することを目的とする。
【課題を解決するための手段】
【００１０】
上記課題を解決するため、本発明に係る画像データ暗号化装置は、暗号化された画像データに含まれる、圧縮フォーマットに応じて定められた特定のコードを他のコードに置換するコード置換処理部と、置換された特定のコードを再置換するための変換情報を生成する変換情報生成処理部と、コード置換して得られた暗号化画像データと変換情報とを連結して配信用暗号化画像データを生成する配信用データ生成処理部と、配信用暗号化画像データを出力する出力部とを備える。
【００１１】
配信用暗号化画像データに含まれる暗号化画像データは、圧縮フォーマットに応じて定められる特定のコードを含まないため、暗号化に対応していない受信側装置が伸張処理を行なった場合、動作に悪影響を与えることはない。このため、暗号化に対応した受信側装置と暗号化に対応していない受信側装置とを安全に混在させることが可能となる。
【００１２】
上記課題を解決するため、本発明に係る暗号化画像データ復号装置は、圧縮フォーマットに応じて定められた特定のコードが他のコードに置換された暗号化画像データと、特定のコードを再置換するための変換情報とが連結された配信用暗号化画像データを入力する入力部と、変換情報を用いて、他のコードを特定のコードに再置換する再置換処理部と、特定コードに再置換された暗号化画像データを復号する復号処理部とを備える。
【００１３】
上記課題を解決するため、本発明に係る画像データ暗号化方法は、暗号化された圧縮画像データに含まれる、圧縮フォーマットに応じて定められる特定のコードを他のコードに置換するコード置換ステップと、置換された特定のコードを再置換するための変換情報を生成する変換情報生成ステップと、コード置換された暗号化画像データと変換情報とを連結して配信用暗号化画像データを生成する配信用データ生成ステップとを含む。
【００１４】
上記課題を解決するため、本発明に係る暗号化画像データ復号方法は、圧縮フォーマットに応じて定められた特定のコードが他のコードに置換された暗号化画像データと、特定のコードを再置換するための変換情報とが連結された配信用暗号化画像データを入力する入力ステップと、変換情報を用いて、他のコードを特定のコードに再置換する再置換ステップと、特定コードに再置換された暗号化画像データを復号する復号ステップとを含む。
【発明を実施するための最良の形態】
【００１５】
本発明の実施の形態について図面を参照して詳細に説明する。図１は、本実施形態の画像データ暗号システムの構成の概要を示すブロック図である。本図に示すように、画像データ暗号システムは、画像データ暗号化装置１０と画像データ復号表示装置２０とを備えて構成される。画像データ暗号化装置１０は、所定のフォーマットで圧縮された画像データ５０を入力して配信用暗号化画像データ７０を出力する。
【００１６】
ここで、配信用暗号化画像データ７０は、本発明を適用して暗号化された画像データであり、所定のアルゴリズムで暗号化され、さらに後述の変換を施された暗号化画像データを意味するものとする。配信用暗号化画像データ７０は、本発明を適用した画像データ復号表示装置２０において、復号され伸張されることで、元の画像を正常に表示することができる。
【００１７】
さらに、暗号化に対応していない一般の表示装置が読み込んだ場合には、元の画像は得ることができないが、伸張処理を行なっても表示装置の動作に悪影響を与えることがない。このため、画像データの秘匿性を保つとともに、暗号化に対応した表示装置と暗号化に対応していない表示装置とを混在させることが可能となる。
【００１８】
画像データ復号表示装置２０は、画像データ５０あるいは配信用暗号化画像データ７０を入力して画像データに基づく表示を行なう。画像データ暗号化装置１０と画像データ復号表示装置２０とは、例えば、インターネット等の通信ネットワーク４０を介して接続される。
【００１９】
ここで、画像データ５０の圧縮フォーマットは、例えば、ＪＰＥＧ圧縮の標準フォーマットであるＪＦＩＦフォーマットとすることができるが、これに限定されず、ＧＩＦ、ＴＩＦ等の種々の画像圧縮フォーマットを用いることができる。また、静止画フォーマットに限られず、ＭＰＥＧ等の動画フォーマットであってもよい。
【００２０】
図２は、画像データ暗号化装置１０の構成を示すブロック図である。本図に示すように、画像データ暗号化装置１０は、所定のフォーマットで圧縮された画像データ５０を入力する画像データ入力部１１０と、画像データ５０を所定のアルゴリズムで暗号化して暗号化画像データ６０を生成する暗号処理部１２０と、暗号化画像データ６０を一般の表示装置でも取り扱える形式の配信用暗号化画像データ７０に変換する配信用暗号化画像データ変換部１３０と、配信用暗号化画像データ７０を出力する配信用暗号化画像データ出力部１４０とを備えている。
【００２１】
配信用暗号化画像データ変換部１３０は、さらに、コード置換部１３１、変換情報生成部１３２、配信用データ生成部１３３を備えている。配信用暗号化画像データ変換部１３０が行なう具体的な処理内容については後述する。なお、画像データ暗号化装置１０が画像を取り込んで、圧縮処理を行ない、画像データ５０を生成するようにしてもよい。
【００２２】
図３は、画像データ復号表示装置２０の構成を示すブロック図である。本図に示すように、画像データ復号表示装置２０は、画像データ暗号化装置１０で生成された配信用暗号化画像データ７０あるいは所定のフォーマットで圧縮された画像データ５０を入力するデータ入力部２１０と、入力されたデータが本発明を適用した暗号化（配信用暗号化）が施されたものであるかどうかを判定する暗号化判定部２２０と、暗号化されていた場合に配信用暗号化画像データ７０を復号する画像データ復号部２３０と、画像データ５０あるいは画像データ復号部２３０により復号された画像データを伸張して表示する画像データ表示部２４０とを備えている。
【００２３】
さらに、画像データ復号部２３０は、配信用暗号化画像データ７０を入力する配信用暗号化画像データ入力部２３１、配信用暗号化画像データ７０を変換して暗号化画像データ６０を生成する暗号化画像データ再変換部２３２、暗号化画像データ６０を所定のアルゴリズムで復号する復号処理部２３３、復号された画像データを出力する画像データ出力部２３４を備えている。暗号化画像データ再変換部２３２の具体的な処理内容については後述する。
【００２４】
画像データ表示部２４０は、所定のフォーマットで圧縮された画像データを入力する画像データ入力部２４１、画像データを伸張する画像データ伸張部２４２、伸張された画像データを表示する画像表示部２４３を備えている。
【００２５】
なお、画像データ暗号化装置１０の暗号処理部１２０が施す所定のアルゴリズムによる暗号化は、例えば、Blowfish等の既知の暗号技術を用いることができる。また、画像データ復号表示装置２０の復号処理部２３３が行なう復号は、画像データ暗号化装置１０の暗号処理部１２０が施す暗号化に対応した復号アルゴリズムを用いるものとする。
【００２６】
次に、本実施形態の暗号化処理と復号処理について説明する。ここでは、圧縮フォーマットは限定せずに、一般に広く行なわれている画像圧縮手法を例に説明を行なう。
【００２７】
図４は暗号化処理について説明する図である。図４（ａ）に示すように、一般に圧縮された画像データ５０は、ヘッダ部５１と画像本体部５２とを含んで構成される。ここで、ヘッダ部５１は、画像データ５０の付帯情報や属性情報、圧縮情報等が記録される領域である。また、一般に、ヘッダ部５１には、任意のデータを記録可能なコメント領域を設けることができる。
【００２８】
本実施形態では、図４（ｂ）に示すように、圧縮された画像データ５０の画像本体部５２を所定の暗号化アルゴリズムで暗号化して暗号化画像本体部６２を生成する。また、ヘッダ部５１に本発明を適用した暗号化を施したことを示す暗号化フラグを付加して、ヘッダ部５１ａを生成する。ヘッダ部５１の他の箇所は変更する必要はない。これにより、ヘッダ部５１ａ、暗号化画像本体部６２を含む暗号化画像データ６０が生成される。画像データ６０は、画像本体部分５２が暗号化されているが、画像データ６０全体としては、所定の圧縮フォーマットを保っている。
【００２９】
ところで、一般に、圧縮フォーマットには、制御用コードとして予約されているキーコードが定められている。代表的には、ＪＰＥＧフォーマットを用いたＪＦＩＦにおける２バイトのマーカコードのうち最初の１バイトコードである０ｘＦＦが該当する。このようなキーコードは、画像本体部５２には現れない規則になっているが、画像本体部５２に暗号化を施すと、暗号化データの中にキーコードが出現してしまう可能性がある。
【００３０】
このようなキーコードが暗号化された画像データ中に含まれていると、その暗号化に対応していない表示装置が読み込んで伸張しようとしたときに、キーコードにしたがって異常な処理を行なってしまい、その後の動作に悪影響を与えてしまう可能性がある。
【００３１】
そこで、本実施形態では、図４（ｃ）に示すように、暗号化された画像本体部６２にキーコードが含まれている場合には、そのキーコードを他のコードに置換することで、キーコードを含まない配信用暗号化画像本体部７２を生成する。配信用暗号化画像本体部７２は、キーコードを含まないため、暗号化に対応していない表示装置が伸張処理を行なった場合、元の画像を得ることはできないが、動作に悪影響を与えることはない。
【００３２】
さらに、本実施形態では、暗号化に対応した表示装置で復号できるように、暗号化画像本体部６２のどのキーコードを置換したかを示すキーコード変換情報部７３を付加して配信用暗号化画像データ７０を生成する。
【００３３】
キーコード変換情報部７３は、例えば、置換したキーコードの配信用暗号化画像本体部７２における位置、データ長、置換前のキーコードを示す情報とすることができる。ただし、圧縮フォーマットによって、データ長あるいは置換前のキーコードが１種類しかない場合には、これらの情報は省くようにしてもよい。なお、置換するコードはキーコード以外の任意のコードとすることができる。また、処理を簡単にするため、置換前のキーコードと同じデータ長のコードとすることが望ましい。
【００３４】
次に、図５を参照して配信用暗号化画像データ７０の復号処理について説明する。図５（ａ）に示すように、暗号化に対応した表示装置であれば、ヘッダ部５１ａから暗号化フラグを検出することで、その画像データが配信用暗号化画像データ７０であると判別することができる。
【００３５】
配信用暗号化画像データ７０は、キーコード変換情報部７３を参照することで、配信用暗号化画像本体部７２において他のコードに置換されたキーコードを元の位置に戻すことができる。キーコードが戻されると、図５（ｂ）に示すように暗号化画像データ６０を得ることができる。暗号化画像データ６０は、所定の復号アルゴリズムにより復号することができ、図５（ｃ）に示すように、元の圧縮画像を含む画像データ５０を得ることができる。
【００３６】
そして、図５（ｄ）に示すように、画像データ５０を伸張することで、表示用画像データ８０が得られ、元の画像を表示することができる。
【００３７】
配信用暗号化画像本体部７２には伸張処理に影響を与えるキーコードが含まれていないため、暗号化に対応していない表示装置が、図６（ａ）に示すような配信用暗号化画像データ７０を読み込んだ場合は、配信用暗号化画像本体部７２を伸張することになり、図６（ｂ）に示すように、元の画像とは異なる、意味のない画像の画像データ８０ａが得られることになる。なお、ヘッダ部５１aの記述、あるいは画像本体部７２の後ろに付加されるデータの区切りを示すキーコード等により、画像本体部７２の終端が表示装置に認識されるので、キーコード変換情報部７３は参照されず、伸張処理に影響は与えない。
【００３８】
図７は、圧縮フォーマットとして、ＪＰＥＧフォーマットを利用したＪＦＩＦを用いた場合の画像データ５０および配信用暗号化画像データ７０の構成例を示す図である。
【００３９】
図７（ａ）に示すように、画像データ５０は、ヘッダ部５１と、フレームデータを構成する画像本体部５２とを含み、画像データ５０の始まりを示すＳＯＩ（Ｓｔａｒｔ  Ｏｆ  Ｉｍａｇｅ）マーカ５０１と、画像データ５０の終わりを示すＥＯＩ（Ｅｎｄ  Ｏｆ  Ｉｍａｇｅ）マーカ５０５とが付されている。ＳＯＩマーカ５０１は、ＪＦＩＦのキーコードである０ｘＦＦに０ｘＤ８を組み合わせた２バイトで示され、ＥＯＩマーカ５０５は、０ｘＦＦに０ｘＤ９を組み合わせた２バイトで示される。本図で、ヘッダ部５１は、コメントセグメント５０２およびアプリケーションセグメント５０３を含んでいるが、これらには限定されず、その他のセグメントを含めるようにしてもよい。
【００４０】
図７（ｂ）に示すように、配信用暗号化画像データ７０は、ヘッダ部５１ａと、配信用暗号化画像本体部７２とキーコード変換情報部７３とを含んでいる。ヘッダ部５１ａと配信用暗号化画像本体部７２とには、ＳＯＩマーカ５０１とＥＯＩマーカ５０５とが付され、これらが画像データとして認識されるようになっている。
【００４１】
ヘッダ部５１ａのコメントセグメント５０２は、コメントセグメントであることを示すＣＯＭ（Ｃｏｍｍｅｎｔ）マーカ５１２ａが、キーコードの０ｘＦＦに０ｘＦＥを組み合わせた２バイトで示され、続く２バイトのＬｅｎｇｔｈ５１２ｂで、コメントセグメントのデータ長が示される。そして、コメントセグメント５０２ａには、暗号化フラグが真であるという情報５１２ｃが記録されている。
【００４２】
キーコード変換情報部７３は、ＥＯＩマーカ７０６、インデックスデータ部７０７、ＥＯＩマーカ７０８を含んでいる。ＥＯＩマーカで区切りを示しているので、暗号化に非対応の表示装置が伸張処理時にキーコード変換情報部７３を参照することはない。
【００４３】
インデックスデータ部７０７は、ＣＯＭマーカ７０９と、Ｌｅｎｇｔｈ７１０と、インデックスデータ７１１を含み、本例において、インデックスデータ７１１は、置換したキーデータ毎に、オフセット７１１ａ、データ長７１１ｂ、元データ７１１ｃをテーブル形式で記録する。
【００４４】
ここで、オフセット７１１ａは、キーコード置換を行なった箇所を、暗号化フレームデータ７０４の先頭からのバイト数で示したものであり、データ長７１１ｂはそのデータサイズを示すものである。このため、オフセット７１１ａで示される位置からデータ長７１１ｂのコードを、元データ７１１ｃで示されるコードに置換することで、配信用暗号化画像データ７０から暗号化画像データ６０を得ることができる。ただし、インデックスデータ７１１のデータ形式は本例に限られず、種々の形式を用いることができる。
【００４５】
次に、画像データ暗号化装置１０の暗号化処理について図８のフロー図を参照して説明する。画像データ暗号化装置１０は、画像データ５０に対する暗号化処理を開始すると、コメントセグメントに「暗号化フラグ：真」を記録して（Ｓ１０１）、フレームデータを所定のアルゴリズムにしたがって暗号化する（Ｓ１０２）。なお、「暗号化フラグ：真」の記録は後に行なってもよい。
【００４６】
ついで、暗号化されたフレームデータを対象に、キーコードを検索する（Ｓ１０３）。なお、検索対象のキーコードは、画像データ５０の圧縮フォーマットに依存する。その結果、キーコードが検出された場合（Ｓ１０４）には、暗号化フレームデータ中のキーコードを所定のコードに置換し、置換した情報をキーコード変換情報部７３のインデックスデータ７１１に追加する（Ｓ１０６）。この処理をキーコードが検出されなくなるまで繰り返すことで（Ｓ１０４：Ｎｏ）、配信用暗号化画像データ７０が生成される。
【００４７】
次に、画像データ復号表示装置２０の復号処理について図９のフロー図を参照して説明する。配信された画像データを受信すると、画像データ復号表示装置２０は、ヘッダ部のコメントセグメントに「暗号化フラグ：真」の情報が記録されているかどうかを調べる（Ｓ２０１）。その結果、「暗号化フラグ：真」の情報が記録されていない場合（Ｓ２０１：Ｎｏ）には、復号処理を行なうことなく、従来と同様に圧縮画像データの伸張を行ない（Ｓ２０４）、得られた画像データの表示を行なう（Ｓ２０５）。
【００４８】
一方、「暗号化フラグ：真」の情報が記録されていた場合（Ｓ２０１：Ｙｅｓ）には、キーコード変換情報部７３のインデックスデータ７１１を参照して、配信用暗号化画像データ７０の画像本体部７２において他のコードに置換されているキーコードを再置換して暗号化画像データ６０を生成する（Ｓ２０２）。そして、得られた暗号化画像データ６０のフレームデータ６２を所定のアルゴリズムで復号して（Ｓ２０３）、画像データ５０を生成する。この画像データ５０を用いて、圧縮画像データの伸張を行ない（Ｓ２０４）、得られた画像データの表示を行なう（Ｓ２０５）。
【００４９】
図１０は、画像データ暗号化装置１０を監視カメラ９２に適用し、画像データ復号表示装置２０を端末装置９５に適用してネットワーク映像監視システムを構築した例を示す図である。
【００５０】
本図において、監視カメラ９２は、静止画像あるいは動画像を撮影し、所定のアルゴリズムで圧縮した後、上述の処理にしたがって配信用暗号化画像データ７０を生成して通信ネットワーク４０にパケット単位で出力する。本図の例では、車９１を撮影するものとする。
【００５１】
通信ネットワーク４０には、画像記録配信装置９３が接続されており、画像記録配信装置９３は、配信用暗号化画像データ７０を、通信ネットワーク４０を介して、複数の端末装置に配信する。また、画像記録配信装置９３は、接続された記憶装置９４に配信用暗号化画像データ７０を記録する。
【００５２】
ここで、画像記録配信装置９３は、所定のフォーマットで圧縮された画像データを配信することができれば足り、暗号化に対応している必要はない。配信用暗号化画像データ７０は、フレームデータは暗号化されているが、所定の圧縮フォーマットの形式を保っているため、暗号化に対応していない既存の画像記録配信装置９３で配信することが可能である。
【００５３】
本図では、画像記録配信装置９３から、暗号化に対応した端末装置９５と、暗号化に対応していない既存の端末装置９６とに配信用暗号化画像データ７０が配信されるものとする。暗号化に対応した端末装置９５では、配信用暗号化画像データ７０を復号し、伸張することができるため、元の車９１の画像９１ａを表示することができる。
【００５４】
一方、暗号化に対応していない既存の端末装置９６は配信用暗号化画像データ７０を復号することなく伸張するため、元の車９１とは異なる意味のない画像９６ａを表示する。このとき、配信用暗号化画像データ７０のフレームデータ７０４にはキーコードが含まれていないため、伸張を行なっても端末装置９６の動作に悪影響を与えることはない。
【００５５】
このように、本発明を適用したネットワーク映像監視システムは、画像データの秘匿性を保つとともに、暗号化に対応した端末装置と暗号化に対応していない端末装置とを混在させることが可能となる。また、ネットワーク映像監視システムを部分的、段階的に更新していくことができるため、コスト的にも手間的にも使用者の負担を軽減することができる。
【００５６】
本発明は、ネットワーク映像監視システムと同様に、画像配信システム、テレビ会議システム等としても効果的に適用することができる。
【図面の簡単な説明】
【００５７】
【図１】本発明の実施形態である画像データ暗号システムの構成の概要を示すブロック図である。
【図２】画像データ暗号化装置の構成を示すブロック図である。
【図３】画像データ復号表示装置の構成を示すブロック図である。
【図４】暗号化処理について説明する図である。
【図５】配信用暗号化画像データの復号処理について説明する図である。
【図６】暗号化に対応していない表示装置が配信用暗号化画像データを読み込んだ場合の伸張例を示す図である。
【図７】ＪＦＩＦを用いた場合の画像データおよび配信用暗号化画像データの構成例を示す図である。
【図８】画像データ暗号化装置の暗号化処理について説明するフロー図である。
【図９】画像データ復号表示装置の復号処理について説明するフロー図である。
【図１０】本発明をネットワーク映像監視システムに適用した例を示す図である。
【符号の説明】
【００５８】
１０…画像データ暗号化装置、２０…画像データ復号表示装置、４０…通信ネットワーク、５０…画像データ、６０…暗号化画像データ、７０…配信用暗号化画像データ、８０…表示用画像データ、９２…監視カメラ、９３…画像記録配信装置、９４…記憶装置、９５…端末装置、９６…端末装置、１１０…画像データ入力部、１２０…暗号処理部、１３０…配信用暗号化画像データ変換部、１４０…配信用暗号化画像データ出力部、２１０…データ入力部、２２０…暗号化判定部、２３０…画像データ復号部、２４０…画像データ表示部
【図１】
2009049556.tif 000003
【図２】
2009049556.tif 000004
【図３】
2009049556.tif 000005
【図４】
2009049556.tif 000006
【図５】
2009049556.tif 000007
【図６】
2009049556.tif 000008
【図７】
2009049556.tif 000009
【図８】
2009049556.tif 000010
【図９】
2009049556.tif 000011
【図１０】
2009049556.tif 000012